(57)【要約】【課題】歯科治療用ハンドピースに殺菌光（例えば、紫外光）を照射する機能を搭載し、該殺菌光を歯牙治療具から照射するようにすることにより、歯牙治療時に該治療部位を紫外線にて殺菌、消毒を行いながら治療することができるようにした。【解決手段】ヘッド部３に歯牙治療具４を着脱自在に装着し、該歯牙治療具４を駆動して歯牙の治療を行う歯科治療用ハンドピースである。紫外線光源５２を有し、該光源５２からの紫外線を該歯牙治療具４内に導入し、該歯牙治療具４の歯牙治療部から照射しながら治療を行う。【選択図】図１
2005073819.tif 000002
【特許請求の範囲】
【請求項１】
ヘッド部に歯牙治療具を着脱自在に装着し、該歯牙治療具を駆動して歯牙の治療を行う歯科治療用ハンドピースにおいて、紫外線光源を有し、該光源からの紫外線を該歯牙治療具の歯牙治療部から照射しながら治療を行うようにしたことを特徴とする紫外線照射機能付歯科治療用ハンドピース。
【請求項２】
前記歯牙治療具は、全体が歯牙の切削に耐える導光性の樹脂材にて構成され、該歯牙治療具の一方の端部から導入された紫外線が該導光性の樹脂内を伝搬し、歯牙治療部から放射されることを特徴とする請求項１に記載の紫外線照射機能付歯科治療用ハンドピース。
【請求項３】
前記歯牙治療具は、全体が金属で構成されるとともに一方の端部が開口された中空体よりなり、前記開口を通して導入された紫外線は前記中空部を伝搬し、該歯牙治療具の歯牙治療部位に設けられた穴より照射されることを特徴とする請求項１に記載の紫外線照射機能付歯科治療用ハンドピース。
【請求項４】
歯科治療用ハンドピースのヘッド部に着脱自在に装着され、駆動されることによって歯牙の治療を行う歯科治療用の歯牙治療具において、該歯牙治療具は、全体が歯牙の研磨に耐える導光性の樹脂材にて構成され、一方の端部に紫外線光源を着脱自在に収納する紫外線光源収納部を有し、該紫外線光源からの紫外線を前記導光性の樹脂内を伝搬させ、歯牙治療部から放射させるようにしたことを特徴とする歯牙治療具。
【請求項５】
歯科治療用ハンドピースのヘッド部に着脱自在に装着され、駆動されることによって歯牙の治療を行う歯科治療用の歯牙治療具において、該歯牙治療具は、全体が金属で構成されるとともに中空に構成され、該中空部は一端側が紫外線光源収納部に形成され、他端側の側部に前記光源からの紫外線を放射する穴が設けられていることを特徴とする歯牙治療具。
【発明の詳細な説明】
【技術分野】
【０００１】
本発明は、紫外線照射機能付歯科治療用ハンドピース及び歯牙治療具、より詳細には、歯牙の切削治療時、歯面の研磨治療時、或いは根管の拡大治療時等に、切削部、研磨部等の治療部に紫外線を照射して殺菌消毒を行いながら治療できるようにした歯科治療用ハンドピース及び歯牙治療具（バー）に関する。
【背景技術】
【０００２】
歯科治療においては、マイクロエンジン、エアタービン、シリンジ、ファイリング、超音波スケーラ等各種インスツルメント（ハンドピース）を口腔内の治療、例えば、歯牙の切削、研磨等に用いる。図５は、従来の（例えば、特許文献１に示す）歯科治療用インスツルメントの一例としてのマイクロエンジンの要部を示す図で、図中、１はハンドピース部で、該ハンドピース部１は、周知のように、図示しない動力部に着脱自在に連結されるように構成されており、動力部に内蔵されているモータの回転が該ハンドピース１に内蔵されているスピンドル２を通してヘッド部３に伝達され、該ヘッド部３に設けられているチャック機構を回転する。このチャック機構には、例えば、歯牙を切削又は研磨する歯牙治療具（バー）４が着脱自在に装着され、該歯牙治療具４が回転されて、歯牙の切削、研磨等が行なわれる。
【０００３】
上述のごとき歯牙治療用ハンドピースは、通常、歯牙治療部位を照明するための照明手段を有する。この照明手段は、一般的には、光導体（光ファイバー束）５を有し、該光導体５は、周知のように、図示しない一端が、動力部内に配設されている光源に対向して終端し、他端５ａが、図示のように、ヘッド部３の近傍に終端して、歯牙治療具４の作業領域近傍を照明するようにしている。
【０００４】
図６は、従来のエアタービンハンドピースにおけるヘッド部３の構成例を示す図（例えば、特許文献２参照）であるが、本発明は、エアタービンハンドピースに限られるものではなく、図５に示したようなマイクロエンジンハンドピース等、歯科治療において歯牙の切削、研磨等を行う工具（歯牙治療具）を着脱自在に装着して使用するいかなるハンドピースにも適用可能である。
【０００５】
図６において、１０はヘッドケース、２０は回転筒で、この回転筒２０には軸受２１，２２のアウターレースがそれぞれＯリング１１，１２によってヘッドケース１０に固定され、これによって、インナーレースと一体の回転筒２０及びタービン羽根２３がヘッドケース１０に回転可能に支持されており、エア供給路６からの空気がタービン羽根２３に吹きつけられ、これによって、回転筒２０が回転される。なお、マイクロエンジンハンドピースにおいては、図５に示したスピンドル２によって回転筒２０が回転される。
【０００６】
回転筒２０とチャック筒３０の小径部との間には、第１のスプリング４１が介装され、チャック筒３０の筒先端部の細片３１に係合する傾斜面Ｎを持つチャック開閉スリーブ４２が設けられ、このチャック開閉スリーブ４２の上部には押しストッパー４３が設けられている。この押しストッパー４３の下端部と前記回転筒２０の上端部との間には、第２のスプリング４４が設けられており、この押しストッパー４３は、この第２のスプリング４４によって、前記チャック開閉スリーブ４２を前記第１のスプリング４１に押し戻すような力を加えている。
【０００７】
この従来より周知のチャック機構において、歯牙治療具（バー）の取り付けは、次のように行われる。即ち、ヘッドケース１０の押し蓋１３をスプリング１４の弾撥力に抗して押し下げ、更に、第１のスプリング４１の弾撥力に抗して押しストッパー４３を押し下げると、押しストッパー４３の下端に接合したチャック開閉スリーブ４２が下降する。このチャック開閉スリーブ４２の下降により、チャック開閉スリーブ４２の内周傾斜面Ｎとチャック筒３０の細片の外周傾斜面Ｍが離れ、これら傾斜面間に隙間ができるため、前記チャック筒３０の先端部の細片３１はその拘束が解かれて拡張し、チャック筒３０内への切削具の受け入れが可能な状態になる。
【０００８】
次に、チャック筒３０内に歯牙治療具（バー）を挿入した後、押し蓋１３に作用させた力を解除すると、前記第１のスプリング４１の弾撥力によって前記チャック開閉スリーブ４２が上昇し、チャック開閉スリーブ４２の内周傾斜面Ｎがチャック筒３０の細片３１の外周傾斜面Ｍを押圧する結果、前記細片は半径方向内方に屈曲し、チャック筒３０内の歯牙治療具を保持する。この状態で、タービン羽根２３にエア供給路６により圧縮エアを吹き付け、切削バー等の歯牙治療具を回転筒２０とともに高速回転して歯牙の切削等を行う。なお、図には、回転筒２０をエアで回転するエアタービンハンドピースの例を示したが、該回転筒２０をモータによって回転するマイクロエンジンハンドピースについても同じである。
【特許文献１】特開平７−２８９５６５号公報
【特許文献２】特開平１１−２９０３４３号公報
【発明の開示】
【発明が解決しようとする課題】
【０００９】
而して、現在の歯科治療において、例えば、上述のごとき歯科治療用ハンドピースを用いて齲蝕部の切削等を行う場合には、齲蝕検知液で齲蝕部を確認しながら切削を行い、感染根管の根幹拡大を行う場合には、刃物で根管拡大を行い、切削後或いは根管拡大後に薬液等で消毒を行うことがあたりまえである。しかし、治療中の作業が多い為、治療箇所を薬液等で殺菌、消毒等を行うことは治療にかかる時間が多くなってしまっている。
【課題を解決するための手段】
【００１０】
本発明は、上述のごとき実情に鑑みてなされたもので、上述のごとき通常の歯科治療用ハンドピースに殺菌光（例えば、紫外光）を照射する機能を搭載し、該殺菌光を刃物（歯牙治療具）から照射するようにすることにより、歯牙治療時に治療部位を紫外線にて殺菌、消毒を行いながら治療することができるようにしたものである。
【発明の効果】
【００１１】
歯牙の切削時及び根管の拡大時等に、歯牙治療具から紫外線を照射して治療部を殺菌・消毒を行いながら治療を行うことで、術者のわずらわしい作業を省略させることができる。
【発明を実施するための最良の形態】
【００１２】
図１は、本発明による歯科治療用ハンドピースの一実施例を説明するための要部概略構成図で、図中、１はハンドピース部、３はヘッド部、４は歯牙切削具（バー）、５は光導体、５ａは該光導体５の光放射端部、５０はモータ等を内蔵した握持部、５１は照明用光源ランプ、５２は紫外線発生用の光源、６０は歯科用ハンドピースで使用する電気や水やエアを供給するためのインスツルメントホースで、ハンドピース部１と握持部５０、及び、握持部５０とインスツルメントホース６０とは、周知のようにそれぞれ分離、接合可能となっている。歯牙切削具４は、ハンドピース１がマイクロエンジンハンドピースである時は、図５に示したように握持部５０に設けられたモータによって回転され、エアタービンハンドピースである時は、図６に示したように、インスツルメントホース６０を通して供給されてくるエアによって回転される。
【００１３】
而して、図１に示した実施例においては、握持部５０内に紫外線発生用光源５２を有し、該光源５２からの紫外線はハンドピース１内に設けられた光導体８を通してヘッド部３に伝送され、歯牙切削具４内に導入され、該歯牙切削具４内を通して該歯牙切削具４の側面、先端部等から放射され、歯牙治療部位に照射される。なお、５１は通常の照明用の光源で、周知のように、ハンドピース１内に設けられた光導体５を通して伝送され、その先端部５ａから照射されて、治療中の箇所を照射する。
【００１４】
図２は、上述のごとくして導入された紫外線を伝送し、先端部より放射するようにした歯牙切削具（バー）の例を説明するための図で、図２（Ａ）は、歯牙切削具全体が金属で構成されている場合の例、図２（Ｂ）は歯牙切削具全体が導光性の樹脂で構成されている場合の例を示す図で、図２（Ａ）に示す金属製の歯牙切削具７０においては、内部が略全体にわたって中空部７１に形成されており上端部より該中空部に導入された紫外線は、該中空部内を先端部に向けて伝搬するが、その間に、該中空部の内壁面で反射され、壁面に形成された貫通穴７２を通して外部に放射され、治療中の部位に照射される。また、図２（Ｂ）に示す導光性合成樹脂製の歯牙切削具８０の場合は、図示のように、上端部（チャック部）のみ中空８１に形成され、該中空部８１に導入された紫外線は、導光性の樹脂８２を先端部に向けて伝搬され、その間に、傾斜壁面での反射角度が大きくなって、該壁面より順次放射され、治療中の箇所に紫外線を照射する。
【００１５】
以上には、図１に示した光導体８を通して伝搬されてきた紫外線を歯牙切削具の上端部から該歯牙切削具内に導入する例について説明したが、本発明は、上記実施例に限定されるものではなく、例えば、図２に示した歯牙切削具７０又は８０の上部（チャック部）中空部７１ａ又は８１内に紫外線発生光源及びそのための電源電池を着脱自在に挿入可能にしておき、該ランプからの紫外線を、前述のように、歯牙切削具内を伝搬させ、この間に、該歯牙切削具の外周面から紫外線を照射するようにすることも可能であり、更には、図６に示したチャック筒３０内に、紫外線発生ランプとそのための電源電池を着脱自在に組み込んでおき、該ランプからの紫外線を、前述のようにこれら歯牙切削具７０又は８０内を通して伝搬させ、その間に、該歯牙切削具の側面から照射するようにしてもよい。
【００１６】
図３（Ａ），図３（Ｂ）は、それぞれ図２に示した歯牙研削具７０及び８０の中空部７１ａ，８１に、紫外線発光ランプと電源電池を一体に構成して挿入した時の状態を示す図で、斜線を施した部分７３，８３が、これらランプと電池を一体に構成した部分を示す。
図４は、図３（Ａ）に示した紫外線発光ランプを備えた歯牙研削具を歯牙治療用ハンドピースに装着した時の様子を示す図で、図中の参照数字は、図１乃至図３及び図５、図６において参照した参照数字が示す部材と同一の部材を示すものとする。
【図面の簡単な説明】
【００１７】
【図１】本発明による紫外線照射機能付き歯科治療具の一実施例を説明するための要部概略構成図である。
【図２】本発明の実施に使用して好適な歯牙切削具の例を示す図である。
【図３】本発明による歯牙切削具の例を示す図である。
【図４】図３（Ａ）に示した歯牙研削具の使用例を示す図である。
【図５】従来の歯科治療用ハンドピースの要部概略構成図である。
【図６】従来の歯科治療用ハンドピースのヘッド部の一例を示す詳細図である。
【符号の説明】
【００１８】
１…ハンドピース部、２…スピンドル、３…ヘッド部、４…歯牙治療具（バー）、５…光導体（光ファイバー束）、５ａ…光放射部、６…エア供給路、８…光導体、１０…ヘッドケース、１１，１２…Ｏリング、１３…押蓋、１４…スプリング、２０…回転筒、２１，２２…軸受、２３…タービン羽根、３０…チャック筒、３１…細片、４１…第一のスプリング、４２…チャック開閉スリーブ、４３…押しストッパー、４４…第２のスプリング、５０…握持部、５１…照明用光源、５２…紫外線発生用の光源、６０…インスツルメントホース、７０…金属性の歯牙切削具、７１，８１…中空部、７１ａ…紫外線光源装着空間、７２…貫通穴、８０…導光性合成樹脂製の歯牙切削具、８２…導光性の樹脂。
【図１】
2005073819.tif 000003
【図２】
2005073819.tif 000004
【図３】
2005073819.tif 000005
【図４】
2005073819.tif 000006
【図５】
2005073819.tif 000007
【図６】
2005073819.tif 000008